(57)【要約】      （修正有）【課題】飲食用具を即席食品入りの容器に簡単に備え付けることができ、製造が容易な即席食品収納セットを提供する。【解決手段】飲食時に剥離するシート状蓋２を固着して密封した容器１内に即席食品Ｆと共に飲食用具３を収納したものである。かつ、飲食用具３は折畳み展開可能である。さらに、折り畳み状態での飲食用具３の長さ寸法Ｌを、容器１の飲食用具３が収納される位置での内径寸法Ｗより小さくなるように設定したものである。【選択図】図２
0003116502.tif 000002
【実用新案登録請求の範囲】
【請求項１】
飲食時に剥離するシート状蓋（２）を固着して密封した容器（１）内に即席食品（Ｆ）と共に飲食用具（３）を収納したことを特徴とする即席食品収納セット。
【請求項２】
飲食時に剥離するシート状蓋（２）を固着して密封した容器（１）内に即席食品（Ｆ）と共に飲食用具（３）を収納し、該飲食用具（３）は伸縮可能又は折畳み展開可能であって、収縮状態又は折り畳み状態での上記飲食用具（３）の長さ寸法（Ｌ）を、上記容器（１）の上記飲食用具（３）が収納される位置での内径寸法（Ｗ）より小さくなるように設定したことを特徴とする即席食品収納セット。
【考案の詳細な説明】
【技術分野】
【０００１】
本考案は、即席食品収納セットに関する。
【背景技術】
【０００２】
容器内に乾燥麺類や固形スープ等を封入した即席食品収納セットがあるが、箸、フォーク、スプーン等の飲食用具は別途用意しなければならず不便であった。
この問題を解決するために、従来の即席食品収納セットには、容器の外側にプラスチックフィルム製の袋に入れた飲食用具を一体状に取り付け、食事の際に取外し可能としたものがある（例えば、特許文献１参照）。
【特許文献１】実開平６−４５４８９号公報
【考案の開示】
【考案が解決しようとする課題】
【０００３】
しかし、従来の即席食品収納セットは、容器の外面に飲食用具の形状に合った凹部を形成し、その凹部に飲食用具を取り付けるように構成されていたので、容器の形状が複雑化し、作製しにくいものであった。
そこで、本考案は、飲食用具を即席食品入りの容器に簡単に備え付けることができ、製造が容易な即席食品収納セットを提供することを目的とする。
【課題を解決するための手段】
【０００４】
上記目的を達成するために、本考案に係る即席食品収納セットは、飲食時に剥離するシート状蓋を固着して密封した容器内に即席食品と共に飲食用具を収納したものである。
【０００５】
また、飲食時に剥離するシート状蓋を固着して密封した容器内に即席食品と共に飲食用具を収納し、該飲食用具は伸縮可能又は折畳み展開可能であって、収縮状態又は折り畳み状態での上記飲食用具の長さ寸法を、上記容器の上記飲食用具が収納される位置での内径寸法より小さくなるように設定したものである。
【考案の効果】
【０００６】
本考案は、次のような著大な効果を奏する。
本考案に係る即席食品収納セットによれば、飲食用具を簡単に容器内に備え付けることができる。つまり、飲食用具を即席食品の入った容器に入れ、容器に蓋を（接着剤等で）固着するだけでよい。従って、従来のように、（容器の外側に飲食用具を取り付けるために）容器の外面側に飲食用具の形状に合った凹部を形成する必要はなく、既存の容器をそのままの形状で用いることができ、簡単に製造することができる。
また、飲食用具は密封状態の容器内に収納されているので、衛生的にも良い。
【考案を実施するための最良の形態】
【０００７】
以下、実施の形態に示す図面に基づき本考案を詳説する。
図１に於て、１は、上方開口部４を有する有底筒状の樹脂製容器であり、容器１の上端縁５には飲食時に剥離するシート状の蓋２が接着剤等で固着され、容器１内を密封している。そして、容器１内には、即席カップ麺（類）、即席シチュー、即席味噌汁、即席ご飯、即席スープ等の即席食品Ｆが収納（封入）されている。
【０００８】
さらに、容器１内に、飲食用具３（図１ではフォーク）が即席食品Ｆと共に収納（封入）されている。飲食用具３はプラスチックフィルム等から成る袋６に封入され、即席食品Ｆの上に載置されている。言い換えれば、飲食用具３は、蓋２と即席食品Ｆとの間に形成される内部空間Ｓ内に収納されている。
【０００９】
また、飲食用具３は、折畳み展開可能となっており、折り畳んだ状態で袋６内へ収納されている。
図２に示すように、この飲食用具３の折り畳み状態での長さ寸法Ｌは、容器１の飲食用具３が収納される位置での内径寸法Ｗより小さくなるように設定されている。
【００１０】
図３は、飲食用具３の動作説明図であり、（Ａ）は折り畳み状態の説明図、（Ｂ）は展開状態の説明図である。
飲食用具３は、前半部７と後半部８とを有し、前半部７と後半部８とは薄肉連結部９にて一体に連結されている。また、前半部７は先端が三股乃至四股等に分かれて形成されたフォーク部である。
【００１１】
折り畳み状態を示す図３の（Ａ）に於て、前半部７の後半部８との対向する面側には嵌合突起13が設けられ、後半部８には前半部７の嵌合突起13と嵌合可能な嵌合孔14が形成されている。
また、展開状態を示す図３の（Ｂ）に於て、前半部７の基端には突条部11を有し、後半部８の先端から延設された支持片10には、前半部７の突条部11が係脱自在の貫孔12が形成されている。
【００１２】
なお、飲食用具３には、フォーク以外に、箸やスプーン等も含み、容器１内に収納するのは、これらのうちの一種類だけでなく複数種類の飲食用具３を収納してもよい。
また、本考案の即席食品収納セットは設計変更自由であり、飲食用具３を伸縮可能とし、収縮状態で容器１内に収納されるようにしても自由である。
なお、容器１に封入される即席食材には、即席食品Ｆ以外に即席具材や調味料等があるが図示省略している。
【００１３】
上述した本考案である即席食品収納セットの使用方法（作用）について説明する。
図１に於て、容器１からシート状蓋２を剥離し、容器１の上方開口部４から、袋６に封入されたまま飲食用具３を容器１の外へ取り出す。そして、袋６を破って中から折り畳まれた状態の飲食用具３を取り出す。
次に、図３に示すように、飲食用具３の後半部８を薄肉連結部９を中心として（前半部７に対して相対的に）揺動させ、前半部７と一直線状にすると共に、前半部７の突条部11を支持片10の貫孔12へ嵌め込む。このようにして、飲食用具３を展開状態とし使用可能な状態にする。
【００１４】
以上のように、本考案である即席食品収納セットは、飲食時に剥離するシート状蓋２を固着して密封した容器１内に即席食品Ｆと共に飲食用具３を収納したので、飲食用具３を簡単に容器１内に備え付けることができる。つまり、飲食用具３を即席食品Ｆの入った容器１に入れ、容器１に蓋２を（接着剤等で）固着するだけでよい。従って、従来のように、（容器の外側に飲食用具を取り付けるために）容器の外面側に飲食用具の形状に合った凹部を形成する必要はなく、既存の容器をそのままの形状で用いることができ、簡単に製造することができる。
また、飲食用具３は密封状態の容器１内に収納されているので、衛生的にも良い。
【００１５】
また、飲食時に剥離するシート状蓋２を固着して密封した容器１内に即席食品Ｆと共に飲食用具３を収納し、飲食用具３は伸縮可能又は折畳み展開可能であって、収縮状態又は折り畳み状態での飲食用具３の長さ寸法Ｌを、容器１の飲食用具３が収納される位置での内径寸法Ｗより小さくなるように設定したので、飲食用具３を簡単に容器１内に備え付けることができる。つまり、飲食用具３を即席食品Ｆの入った容器１に入れ、容器１に蓋２を（接着剤等で）固着するだけでよい。従って、従来のように、（容器の外側に飲食用具を取り付けるために）容器の外面側に飲食用具の形状に合った凹部を形成する必要はなく、既存の容器をそのままの形状で用いることができ、簡単に製造することができる。
また、飲食用具３は密封状態の容器１内に収納されているので、衛生的にも良い。
さらに、収縮状態又は折り畳み状態での飲食用具３の長さ寸法Ｌを、容器１の飲食用具３が収納される位置での内径寸法Ｗより小さくなるように設定したので、飲食用具３をコンパクトに（折畳み又は収縮）して容器１内に収納し易くすることができ、使用時には使い易い大きさに戻す（展開又は延伸する）ことができる。
【図面の簡単な説明】
【００１６】
【図１】本考案の斜視図である。
【図２】断面側面図である。
【図３】飲食用具の動作説明図であって、（Ａ）は折り畳み状態の説明図、（Ｂ）は展開状態の説明図である。
【符号の説明】
【００１７】
１  容器
２  蓋
３  飲食用具
Ｆ  即席食品
Ｌ  長さ寸法
Ｗ  内径寸法
【図１】
0003116502.tif 000003
【図２】
0003116502.tif 000004
【図３】
0003116502.tif 000005